(57)【要約】【課題】電極取り替えの際に、ロールの取り外しを必要とせず、且つ、ロール表面のキズ発生を防止できる縦型金属帯処理装置、縦型電解洗浄装置、縦型金属帯処理装置の電極取替方法、縦型電解洗浄装置の電極取替方法、及び電極取替治具を提供すること。【解決手段】金属帯Ｘを洗浄する電解液を貯蔵するタンク３と、タンク３の上方に設けられ、金属帯Ｘを上下方向に通板するためのロール２ａと、タンク３内に設けられ、金属帯Ｘを電解処理する電極４と、ロール２ａ曲面を避ける形状を有し、電極４と連結可能な電極取替治具１０と、ロール２の上方に設けられ、水平移動および電極取替治具１０との連結が可能な吊り上げ装置５と、を備える縦型電解洗浄装置１。【選択図】図４
2020176314.tif 000002
【特許請求の範囲】
【請求項１】
金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロール曲面を避ける形状を有し、前記電極と連結可能な電極取替治具と、
前記ロールの上方に設けられ、水平移動および前記電極取替治具との連結が可能な吊り上げ装置と、
を備える縦型金属帯処理装置。
【請求項２】
金属帯を洗浄する電解液を貯蔵するタンクと、
前記タンクの上方に設けられ、金属帯を上下方向に通板するためのロールと、
前記タンク内に設けられ、前記金属帯を電解処理する電極と、
前記ロール曲面を避ける形状を有し、前記電極と連結可能な電極取替治具と、
前記ロールの上方に設けられ、水平移動および前記電極取替治具との連結が可能な吊り上げ装置と、
を備える縦型電解洗浄装置。
【請求項３】
請求項２記載の縦型電解洗浄装置において、
前記ロール曲面を避ける形状は円弧状の形状である縦型電解洗浄装置。
【請求項４】
請求項３記載の縦型電解洗浄装置において、
前記ロール曲面を避ける形状の曲率半径は、前記ロールの曲率半径よりも大きい縦型電解洗浄装置。
【請求項５】
請求項２から４のいずれか一項に記載の縦型電解洗浄装置において、
前記タンク内に複数の電極を有し、
前記複数の電極夫々に対応した複数の前記電極取替治具を備える縦型電解洗浄装置。
【請求項６】
請求項２から５のいずれか一項に記載の電極取替治具を用いた縦型電解洗浄装置の電極取替方法であって、
前記ロールを取り外すことなく前記電極を取り替える縦型電解洗浄装置の電極取替方法。
【請求項７】
請求項２から５のいずれか一項に記載の電極取替治具を用いた縦型電解洗浄装置の電極取替方法であって、
予め設置された前記電極取替治具を前記吊り上げ装置で水平移動させることで前記電極を水平移動させ、その後前記電極を吊り上げる縦型電解洗浄装置の電極取替方法。
【請求項８】
請求項１記載の電極取替治具を用いた縦型金属帯処理装置の電極取替方法であって、
前記ロールを取り外すことなく前記電極を取り替える縦型金属帯処理装置の電極取替方法。
【請求項９】
金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロールの上方に設けられ、水平移動が可能であると共に前記電極を吊り上げ可能な吊り上げ装置と、を備える縦型金属帯処理装置に用いられる電極取替治具であって、
前記ロール曲面を避ける形状を有し、前記電極および前記吊り上げ装置との連結が可能である電極取替治具。
【請求項１０】
金属帯を洗浄する電解液を貯蔵するタンクと、
前記タンクの上方に設けられ、金属帯を上下方向に通板するためのロールと、
前記タンク内に設けられ、前記金属帯を電解処理する電極と、
前記ロールの上方に設けられ、水平移動が可能であると共に前記電極を吊り上げ可能な吊り上げ装置と、を備える縦型電解洗浄装置に用いられる電極取替治具であって、
前記ロール曲面を避ける形状を有し、前記電極および前記吊り上げ装置との連結が可能である電極取替治具。
【発明の詳細な説明】
【技術分野】
【０００１】
本発明は、縦型金属帯処理装置、縦型電解洗浄装置、縦型金属帯処理装置の電極取替方法、縦型電解洗浄装置の電極取替方法、および電極取替治具に関する。
【背景技術】
【０００２】
鋼板の電解洗浄が、焼鈍処理及び電気めっき処理等の前処理として、焼鈍品質およびめっき品質の向上を目的に実施されている（例えば、特許文献１）。
【０００３】
電解洗浄を行う電解洗浄タンクは、アルカリ液（または酸液）中に相対峙した陽極・陰極電極間に鋼板を通過させ、当該鋼板の表面を電解洗浄する装置であり、タンク、鋼板通板用ロール、電極等により構成される。このうち、縦型電解洗浄タンクは、鋼板を任意の回数折り返しながら縦方向に走行させて電解洗浄する方式を採用する。横型電解洗浄タンクでは、ライン長手方向にスペースが必要となるのに対し、縦型電解洗浄タンクでは、設置スペースはより少なくて済むため、主流となっている。縦型電解洗浄タンクの場合、電極は鋼板の表・裏面に対となり配置されるため、鋼板通板用のロール下部に電極が必然的に配置される。
【０００４】
また同様に、鋼板通板用のロール下部に電極が配置される縦型電解めっき装置も知られている（特許文献２等）。
【先行技術文献】
【特許文献】
【０００５】
【特許文献１】特開２００９−０６８０７３号公報
【特許文献２】特開平１０−２５１８９３号公報
【発明の概要】
【発明が解決しようとする課題】
【０００６】
これらの電解洗浄や電解めっきに用いられる電極は、自らも電解により体積減少するため定期的な取り替えが必要となる。従来の縦型電解洗浄装置や縦型電解めっき装置で電極の取り替えを行う際には、この取り替えの前に電極の上方のロールを取り外していた。また、ロールを取り外さずに電極をワイヤーで吊り上げることも考えられるが、ロールと電極との接触によりロール表面にキズが付くおそれがある。
【０００７】
本発明はこのような課題に鑑みてなされたものであって、電極取り替えの際に、ロールの取り外しを必要とせず、且つ、ロール表面のキズ発生を防止できる縦型金属帯処理装置、縦型電解洗浄装置、縦型金属帯処理装置の電極取替方法、縦型電解洗浄装置の電極取替方法、および電極取替治具を提供することを目的とする。
【課題を解決するための手段】
【０００８】
［１］金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロール曲面を避ける形状を有し、前記電極と連結可能な電極取替治具と、
前記ロールの上方に設けられ、水平移動および前記電極取替治具との連結が可能な吊り上げ装置と、
を備える縦型金属帯処理装置。
［２］金属帯を洗浄する電解液を貯蔵するタンクと、
前記タンクの上方に設けられ、金属帯を上下方向に通板するためのロールと、
前記タンク内に設けられ、前記金属帯を電解処理する電極と、
前記ロール曲面を避ける形状を有し、前記電極と連結可能な電極取替治具と、
前記ロールの上方に設けられ、水平移動および前記電極取替治具との連結が可能な吊り上げ装置と、
を備える縦型電解洗浄装置。
［３］前記［２］に記載の縦型電解洗浄装置において、
前記ロール曲面を避ける形状は円弧状の形状である縦型電解洗浄装置。
［４］前記［３］に記載の縦型電解洗浄装置において、
前記ロール曲面を避ける形状の曲率半径は、前記ロールの曲率半径よりも大きい縦型電解洗浄装置。
［５］前記［２］から［４］のいずれかに記載の縦型電解洗浄装置において、
前記タンク内に複数の電極を有し、
前記複数の電極夫々に対応した複数の前記電極取替治具を備える縦型電解洗浄装置。
［６］前記［２］から［５］のいずれかに記載の電極取替治具を用いた縦型電解洗浄装置の電極取替方法であって、
前記ロールを取り外すことなく前記電極を取り替える縦型電解洗浄装置の電極取替方法。
［７］前記［２］から［５］のいずれかに記載の電極取替治具を用いた縦型電解洗浄装置の電極取替方法であって、
予め設置された前記電極取替治具を前記吊り上げ装置で水平移動させることで前記電極を水平移動させ、その後前記電極を吊り上げる縦型電解洗浄装置の電極取替方法。
［８］前記［１］に記載の電極取替治具を用いた縦型金属帯処理装置の電極取替方法であって、
前記ロールを取り外すことなく前記電極を取り替える縦型金属帯処理装置の電極取替方法。
［９］金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロールの上方に設けられ、水平移動が可能であると共に前記電極を吊り上げ可能な吊り上げ装置と、を備える縦型金属帯処理装置に用いられる電極取替治具であって、
前記ロール曲面を避ける形状を有し、前記電極および前記吊り上げ装置との連結が可能である電極取替治具。
［１０］金属帯を洗浄する電解液を貯蔵するタンクと、
前記タンクの上方に設けられ、金属帯を上下方向に通板するためのロールと、
前記タンク内に設けられ、前記金属帯を電解処理する電極と、
前記ロールの上方に設けられ、水平移動が可能であると共に前記電極を吊り上げ可能な吊り上げ装置と、を備える縦型電解洗浄装置に用いられる電極取替治具であって、
前記ロール曲面を避ける形状を有し、前記電極および前記吊り上げ装置との連結が可能である電極取替治具。
【発明の効果】
【０００９】
本発明によれば、電極の取り替えの際に、ロールの取り外しを必要とせず、且つ、ロール表面のキズ発生を防止できる。
更には、このことから、作業効率を向上できる。また、ロール表面のキズに起因する金属帯へのキズ転写も防止できる。
【図面の簡単な説明】
【００１０】
【図１】関連技術の縦型電解洗浄装置の概略図である。
【図２】縦型電解洗浄装置に用いる電極の概略図である。
【図３】関連技術の縦型電解洗浄装置による電極取替方法の流れを説明するための図である。
【図４】本発明の縦型電解洗浄装置の概略図である。
【図５】本発明の縦型電解洗浄装置で用いる電極取替治具の一例を説明するための図である。
【図６】本発明の縦型電解洗浄装置で用いる電極取替治具の他の例を説明するための図である。
【図７】本発明の縦型電解洗浄装置による電極取替方法の流れを説明するための図である。
【発明を実施するための形態】
【００１１】
本発明について、図面を参照しながら説明する。なお、この実施形態によって本発明が限定されるものではない。
【００１２】
本発明の縦型金属帯処理装置及び縦型電解洗浄装置は、共に、鋼板（以下では、金属帯と記す。）を通板するロールの曲面を避ける形状で形成された電極取替治具を有しており、この電極取替治具を電極に連結して電極を吊り上げることを特徴とする。
以下の実施形態では、主に、縦型電解洗浄装置と縦型電解洗浄装置に用いられる電極取替治具とについて説明する。
【００１３】
＜関連技術の縦型電解洗浄装置＞
まず、本発明の縦型電解洗浄装置を説明する前に、関連技術の縦型電解洗浄装置について説明する。
【００１４】
縦型電解洗浄装置では、金属帯の焼鈍処理及び電気めっき処理等の前処理として、焼鈍品質及びめっき品質の向上を目的に、金属帯の電解洗浄を行う。
【００１５】
図１は、関連技術の縦型電解洗浄装置１００を説明するための概略図である。
関連技術の縦型電解洗浄装置１００は、アルカリ液（または酸液）中に相対峙した陽極と陰極の電極４ａ、４ｂ間に金属帯Ｘを通過させ、金属帯Ｘの表面を電解洗浄する装置であり、金属帯Ｘを上下方向に通板するロール２ａと、ロール２ａの下方に設けられ、金属帯Ｘを洗浄する電解液を貯蔵するタンク３と、タンク３内に設けられ、金属帯Ｘを電解処理する電極４ａ、４ｂと、ロール２ａの上方に設けられ、水平移動が可能であり、電極４の吊り上げが可能な吊り上げ装置５とを有する。
縦型電解洗浄装置１００は、金属帯Ｘを通板させるために、上下一対のロール（上部通板用ロールおよび下部通板用ロール）を有することができ、上記ロール２ａは、上部通板用ロールとすることができる。
また、上記のように、ロール２ａによる金属帯Ｘの通板は、上下方向に行われるが、厳密に鉛直方向（電極４の吊り上げ方向）に行われなくてもよく、鉛直方向に対し傾斜していてもよい。
また、図１中、オーバーフロー配管７は、上方の堰から液が溢れた場合に、外部へ液を排出するための配管である。
【００１６】
電解洗浄装置としては、縦型電解洗浄装置１００と横型電解洗浄装置（図示せず）とが存在し、このうち縦型電解洗浄装置１００は、金属帯Ｘを任意の回数折り返しながら縦方向に走行させて電解洗浄する。横型電解洗浄装置では、ライン長手方向にスペースが必要となるのに対し、縦型電解洗浄装置１００では、設置スペースをより小さくすることができる。
【００１７】
図１に示すように、縦型電解洗浄装置１００では、電極４ａ、４ｂが金属帯Ｘの表裏面に対となり配置されるために、金属帯Ｘの通板用のロール２ａの下方に電極４ａが配置される。この電極４ａ、４ｂは、電解による金属帯Ｘの洗浄によって体積が減少し、定期的に取り替えが必要となる。
【００１８】
この電極４ａ、４ｂの取り替えは、吊り上げ装置５により行う。吊り上げ装置５では、例えば、下部先端にワイヤ６が取り付けられ、このワイヤ６の長さが調整可能に設計されている。ワイヤ６を電極４ａ、４ｂに連結し、ワイヤ６の長さを調整することで、電極４ａ、４ｂを吊り上げたり、タンク３内に取り付けたりすることができる。
【００１９】
図２は、縦型電解洗浄装置１００に用いる電極４（４ａ、４ｂ）の概略図である。
電極４は、タンク３内部に設けられた電解電極ハンガー４１と、電解電極振れ止め４２とで固定される。
電解電極ハンガー４１は、電極４の上側で電極４を水平方向および鉛直方向に支持する支持部材である。電解電極振れ止め４２は、電極４の下側で電極４を水平方向に支持する支持部材である。
取り外し及び取り付け方法の一例として、電極４はワイヤ６等を介して、吊り上げ装置５によりタンク３から吊り上げられ、タンク３内に取り付ける際にはハンガー４１と電解電極振れ止め４２に電極４が嵌合するように上方より挿入することができるが、取り外し及び取り付け方法はこれに限られない。
【００２０】
ここで、図３を参照しながら、関連技術の縦型電解洗浄装置１００による電極取替方法を説明する。図３は、関連技術の縦型電解洗浄装置１００による電極取替方法の流れを説明するための図である。図３では、金属帯Ｘは電極取替前に、予め取り外されている。
【００２１】
（１）まず、電極４（４ａ、４ｂ）の取り替えを可能にするために、図３（ａ）に示すロール２ａ（上部通板用ロール）が、図３（ｂ）に示すように装置１００から取り外される。より具体的には、例えば、上部通板用ロール用軸受け箱（軸受箱：ロール両端に装着される軸受の収納箱）の取り外しが行われてから、上部通板用ロール２ａ本体が取り外される。
【００２２】
（２）次に、図３（ｃ）に示すように、電極４（４ａ、４ｂ）が装置１００から取り外される。このとき、ロール２ａが先に取り外されていることにより、ロール２ａにキズが付くことを防止できる。
【００２３】
（３）次に、図３（ｄ）に示すように、電極４（４ａ、４ｂ）が取り付けられる。このとき、ロール２ａが取り外されていることにより、ロール２ａにキズが付くことが防止される。
【００２４】
（４）最後に、図３（ｅ）に示すように、ロール２ａが装置１００に取り付けられる。より具体的には、例えば、上部通板用ロール２ａ本体が取り付けられてから、上部通板用ロール用軸受け箱の取り付けが行われる。
【００２５】
このように、関連技術の縦型電解洗浄装置１００では、電極４の取り替えにおいて、「ロール用軸受箱の取り外し」→「ロールの取り外し」→「電極の取り替え」→「ロールの取り付け」→「ロール用軸受箱の取り付け」の順に作業が行われる。すなわち、ロール用軸受箱およびロール２ａ本体の取り外し作業と取り付け作業とが必要となる。そのため、電極４の取り替えを行うには、長時間のライン停止が必要となる。この点、ロール用軸受箱およびロール２ａ本体の取り外し作業と取り付け作業とを行わずに、ロール２ａの上部に位置する吊り上げ装置５からワイヤ６を吊り下げて、ワイヤ６をロール２ａに接触させながら、電極４（特に、ロール２ａ直下の電極４ａ）の取り替えを行うと、ロール２ａの表面にキズが入り、更には金属帯Ｘにキズが転写され、金属帯Ｘの品質を低下させてしまうという問題が生じる。
【００２６】
＜本発明の縦型電解洗浄装置＞
関連技術の縦型電解洗浄装置１００の上記問題点を踏まえて完成させた本発明の縦型電解洗浄装置１について、まず図４を参照しながら説明する。
【００２７】
図４は、本発明の縦型電解洗浄装置１を説明するための概略図である。
本発明の縦型電解洗浄装置１は、金属帯Ｘを洗浄する電解液を貯蔵するタンク３と、タンク３の上方に設けられ、金属帯Ｘを上下方向に通板するためのロール２ａと、タンク３内に設けられ、金属帯Ｘを電解処理する電極４ａ、４ｂと、ロール２ａ曲面を避ける形状を有し、電極４と連結可能な電極取替治具１０と、ロール２ａの上方に設けられ、水平移動および電極取替治具１０との連結が可能な吊り上げ装置５とを有する。
縦型電解洗浄装置１は、金属帯Ｘを通板させるために、上下一対のロール（上部通板用ロールおよび下部通板用ロール）を有することができ、上記ロール２ａは、上部通板用ロールとすることができる。
【００２８】
本発明の縦型電解洗浄装置１において、ロール２ａ、２ｂ、タンク３は特に限定されず、通常公知のロール、タンクを用いることができる。
【００２９】
本発明の縦型電解洗浄装置１は、関連技術の縦型電解洗浄装置１００と比べ、電極取替治具１０を有することを特徴とし、電極取替治具１０を有することにより、ロール２ａ直下に位置する電極４ａの取り替えの際に、ロール２ａの取り外しを必要とせず、且つ、ロール２ａ表面のキズ発生を防止できる。電極取替治具１０以外の構成については、関連技術の縦型電解洗浄装置１００の構成の説明として既に前述しているため、以下では、電極取替治具１０の説明を主に行う。
【００３０】
（電極取替治具１０）
本発明の縦型電解洗浄装置１に用いられる電極取替治具１０は、前述したように、ロール２ａの曲面を避ける形状を有する。より具体的に、例えば、電極取替治具１０は、ロール２ａ曲面から離隔しつつロール２ａ曲面との接触を避けることが可能な凸部を有する。また、電極取替治具１０は、吊り上げ装置５と連結可能に設計される。特に限定されないが、例えば、電極取替治具１０は、吊り上げ装置５に取り付けられたワイヤ６を取り付けることが可能なワイヤ取付部を有していてもよい。
【００３１】
また、電極取替治具１０は、電極４と連結可能に設計される。特に限定されないが、例えば、電極取替治具１０は、ワイヤ等を介して電極４と連結することが可能な電極連結部を有していてもよい。
【００３２】
電極取替治具１０がロール２ａ曲面を避ける形状を有するため、吊り上げ装置５による、ロール２ａの直下に位置する電極４ａの吊り上げにおいて、ロール２ａを取り外すことを必要とせず、且つロール２ａ表面の電極４ａとの接触によるキズの発生を防止することができる。
【００３３】
ここで、電極取替治具１０の形状について、図５、図６を参照しながら更に説明する。図５は、本発明の縦型電解洗浄装置１で用いる電極取替治具１０を説明するための図である。図６は、本発明の縦型電解洗浄装置１で用いる他の電極取替治具１１、１２、１３を説明するための図である。
【００３４】
図５に示すように、電極取替治具１０は、ロール２ａ曲面を避ける形状を有する。電極取替治具１０は、吊り上げ装置５による電極４ａの取り替えの際に、ワイヤ６等とロール２ａとの接触を回避できる形状、すなわちロール２ａ曲面から離隔しつつ吊り具接点と電極接点とを接続することが可能な凸部を有する形状、を有していれば特に限定されないが、ロール２ａの断面形状が円形となるため、上記のロール２ａ曲面を避ける形状は円弧状の形状とすることができる。
【００３５】
ロール２ａ曲面を避ける形状が円弧状の形状である場合、電極４ａの取り替えの際に、電極取替治具１０とロール２ａとの接触をより確実に回避するために、電極取替治具１０のロール２ａ曲面を避ける形状の曲率半径Ｒは、ロール２ａの曲率半径ｒよりも大きいこと（Ｒ＞ｒ）が好ましい。
【００３６】
また、電極取替治具１０の上記のロール２ａ曲面を避ける形状としては、上記の円弧状の形状の他にも、ロール２ａ曲面に沿った形状、湾曲形状、屈曲形状、コの字型形状等を適宜選択することができる。
具体的に、例えば、図６に示すように、電極取替治具１０の上記のロール２ａ曲面を避ける形状としては、特定の円弧状の形状（円弧の両端部間の直線距離ｈ、該直線とこの直線から円弧の凸部最遠部までの距離ｄ）を有する電極取替治具１１（図６（ａ）参照）、コの字型形状を有する電極取替治具１２（図６（ｂ）参照）、くの字型形状を有する電極取替治具１３（図６（ｃ）参照）等にすることもできる。
図６（ａ）に示すような特定の円弧状の形状を有する電極取替治具１１としては、ロール２ａとの接触をより確実に回避するために、上記ｄをロール２ａの曲率半径より大きくし、上記ｈをロール２ａの曲率半径の２倍よりも長くすることが好ましい。
【００３７】
なお、ロール２ａの側面側を垂直な方向から見たときの電極取替治具１０の形状は特に限定されない。例えば、各々がロール２ａの曲面に沿う凸部を有する複数の棒状部材を、ロール２ａの軸方向に平行な棒状部材で橋渡しして連結する形状であってよい。また、ロール２ａの側面を覆うような板状であってもよい。軽量化の観点からは前者の複数の棒状部材を連結した形状が好ましい。
【００３８】
また、図４等に示すように、縦型電解洗浄装置１は、複数の電極４（４ａ、４ｂ）を有していてもよく、これらの電極４は同一の形状を有している必要はない。このとき、縦型電解洗浄装置１は、複数の電極夫々に対応した複数の電極取替治具１０を有していてもよい。
【００３９】
＜電極取替方法＞
次に、本発明の縦型電解洗浄装置１による電極取替方法の流れを説明する。図７は、本発明の縦型電解洗浄装置１による電極取替方法の流れを説明するための図である。図３と同様に、図７では、金属帯Ｘは電極取替前に予め取り外されている。
【００４０】
（１）まず、図７（ａ）、（ｂ）に示すように、電極４ｂを取り外した後に、吊り上げ装置５のワイヤ６に電極取替治具１０を取り付ける。そして、ロール２ａを取り外すことなく、電極取替治具１０を、ロール２ａ下方に位置する電極４ａと連結させる。
【００４１】
（２）次に、図７（ｃ）に示すように、電極取替治具１０を吊り上げ装置５により水平移動させることで、電極４ａも水平移動させる。
【００４２】
（３）次に、図７（ｄ）に示すように、吊り上げ装置５により電極４ａを吊り上げる。
【００４３】
（４）次に、図７（ｅ）に示すように、吊り上げ装置５により新たな電極４ａをタンク３内に吊り下げる。
【００４４】
（５）最後に、図７（ｆ）に示すように、電極取替治具１０を吊り上げ装置５により水平移動させることで、電極４ａを水平移動させ、所定の位置（ロール２ａの直下位置）に設置する。
【００４５】
なお、電極取替治具１０及びワイヤ６は、電極４の取り替え前から吊り上げ装置５に予め取り付けられていてもよいし、電極４の取り替え時に吊り上げ装置５に取り付けられてからタンク３内に降下させられてもよい。
【００４６】
また、上記において、ロール２ａ直下には位置しない電極４ｂの取り外し及び取り付けの方法については特に限定されず、電極４ａと同様に吊り上げ装置５によって吊り上げたり吊り下げたりすることにより行ってよい。
【００４７】
このように、取り替えが必要となった電極４ａを縦型電解洗浄装置１から取り外すとき、吊り具接点と電極接点とを結ぶ直線がロール２ａと接触しない距離まで電極取替治具１０を水平移動させてから、電極４ａをロール２ａと接触させずに電極４ａを上方向に移動させることができる。
【００４８】
同様に、新たな電極４ａを装置１に取り付けるときには、電極取替治具１０に電極４ａを取り付けた後、電極４を下降させ、ロール２ａに接触しない範囲でロール２ａ側へ水平移動させて、電極４ａを所望の位置（ロール２ａ下側の位置）へ移動させることができる。
【００４９】
以上説明したように、本発明の縦型電解洗浄装置１では、ロール２ａの曲面に沿った形状を有する電極取替治具１０を用いることで、電極４ａの吊り上げ時（取り外し時）及び吊り下げ時（取り付け時）のいずれにおいても、ロール２ａと電極取替治具１０及び電極４ａとの接触を防止することができる。
【００５０】
また、縦型電解洗浄装置１のロール２ａの取り外し工程、取り付け工程を必要とせずに、タンク３内の電極４を取り替えることができるため、上記の取り外しや取り付けの際に懸念されるロール２ａ表面にキズが付くことや金属帯Ｘへのキズ転写を防止することができる。
【００５１】
また、本発明によれば、ロール２ａの表面にキズを付けずに、ロール２ａの取り替えも伴わずに電極４の取り替えを可能とするため、作業時間の短縮を実現することができる。また、電極取替治具１０を用いることによるスペースの増加は不要であり、更には装置自体を安価に製作することが可能である。
【００５２】
本発明の縦型電解洗浄装置１は種々の装置に適用でき、電極の取り替え作業効率を向上させることができるＣＡＬ（Ｃｏｎｔｉｎｕｏｕｓ  Ａｎｎｅａｌｉｎｇ  Ｌｉｎｅ）、ＣＧＬ（Ｃｏｎｔｉｎｕｏｕｓ  Ｇａｌｖａｎｉｚｉｎｇ  Ｌｉｎｅ）、ティン・フリー・スチールライン（ＴＦＳ）、電気錫めっきライン（ＥＴＬ）等で好適に用いられる。
【００５３】
また、縦型電解洗浄装置１とこの縦型電解洗浄装置に用いられる電極取替治具１０について説明したが、前述したように、これに限られず、溶液タンク中の電極とその上方に設置されたロールとにより金属帯を処理する装置であれば、縦型電解めっき装置等の縦型金属帯処理装置にも、本発明を適用することができる。
【００５４】
この縦型金属帯処理装置は、金属帯を浸漬する溶液を貯蔵するタンクと、タンクの上方に設けられ、金属帯を上下方向に通板するためのロールと、ロールの下方に設けられ、タンク内に設けられ、金属帯を電解処理する電極と、ロール曲面を避ける形状を有し、電極と連結可能な電極取替治具と、ロールの上方に設けられ、水平移動および上記電極取替治具との連結が可能な吊り上げ装置とを備える。ロール、タンク、電極、電極取替治具、吊り上げ装置は、前述した縦型電解洗浄装置１のロール２ａ、２ｂ、タンク３、電極４ａ、４ｂ、電極取替治具１０、吊り上げ装置５と同様の構成および機能を有していてよい。この縦型金属帯処理装置によれば、電極の取替の際、ロールを取り外すことなく電極を取り替えることができる。
【符号の説明】
【００５５】
１、１００  縦型電解洗浄装置
２ａ、２ｂ  ロール
３  タンク
４  電極
５  吊り上げ装置
６  ワイヤ
１０、１１、１２、１３  電極取替治具
Ｘ  金属帯
【図１】
2020176314.tif 000003
【図２】
2020176314.tif 000004
【図３】
2020176314.tif 000005
【図４】
2020176314.tif 000006
【図５】
2020176314.tif 000007
【図６】
2020176314.tif 000008
【図７】
2020176314.tif 000009
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロールの曲面との接触を避ける形状を有し、前記電極と連結可能な電極取替治具と、
前記ロールの上方に設けられ、水平移動および前記電極取替治具との連結が可能な吊り上げ装置と、
を備える縦型金属帯処理装置。
【請求項２】
請求項１記載の縦型金属帯処理装置において、
前記タンクは前記金属帯を洗浄する電解液を貯蔵するタンクである縦型金属帯処理装置。
【請求項３】
請求項１又は２記載の縦型金属帯処理装置において、
前記ロールの曲面との接触を避ける形状は円弧状の形状である縦型金属帯処理装置。
【請求項４】
請求項３記載の縦型金属帯処理装置において、
前記ロールの曲面との接触を避ける形状の曲率半径は、前記ロールの曲率半径よりも大きい縦型金属帯処理装置。
【請求項５】
請求項１から４のいずれか一項に記載の縦型金属帯処理装置において、
前記タンク内に複数の電極を有し、
前記複数の電極夫々に対応した複数の前記電極取替治具を備える縦型金属帯処理装置。
【請求項６】
請求項１から５のいずれか一項に記載の電極取替治具を用いた縦型金属帯処理装置の電極取替方法であって、
前記ロールを取り外すことなく前記電極を取り替える縦型金属帯処理装置の電極取替方法。
【請求項７】
請求項１から５のいずれか一項に記載の電極取替治具を用いた縦型金属帯処理装置の電極取替方法であって、
予め設置された前記電極取替治具を前記吊り上げ装置で水平移動させることで前記電極を水平移動させ、その後前記電極を吊り上げる縦型金属帯処理装置の電極取替方法。
【請求項８】
金属帯を浸漬する溶液を貯蔵するタンクと、
前記タンクの上方に設けられ、金属帯を上下方向に通板するためのロールと、
前記タンク内に設けられ、前記金属帯を電解処理する電極と、
前記ロールの上方に設けられ、水平移動が可能であると共に前記電極を吊り上げ可能な吊り上げ装置と、を備える縦型金属帯処理装置に用いられる電極取替治具であって、
前記ロールの曲面との接触を避ける形状を有し、前記電極および前記吊り上げ装置との連結が可能である電極取替治具。
【請求項９】
請求項８記載の電極取替冶具において、
前記タンクは金属帯を洗浄する電解液を貯蔵するタンクである電極取替冶具。